(57)【特許請求の範囲】
【請求項１】
被写体から光学式レンズを介して画像を取り入れる光学式ビューファインダと、前記光学式レンズにより取り込まれた前記被写体を画像信号に変換して表示するモニタとで構成されるとともに、前記被写体を拡大表示するズーム機能を具備したデジタルカメラにおいて、
前記ズーム機能は、前記光学式レンズによる光学式ズーム手段と、該光学式ズーム手段のズーム倍率を越えるものは所望の信号処理で拡大させる電子ズーム手段とが併用され、
前記モニタで画像を表示しないときには、前記電子ズーム手段が作動しないように制御し、
前記モニタで画像を表示したときであって、前記電子ズーム手段が作動している場合は、前記モニタ画面に電子ズームモードであることを表示して前記光学式ビューファインダの実視野と撮影できる範囲が異なることを知らせるように制御する制御手段を具備したことを特徴とするデジタルカメラ。
【発明の詳細な説明】
【０００１】
【発明の属する技術分野】
本発明は、光学式ビューファインダと被写体を画像信号に変換して表示する液晶モニタを備えたデジタルカメラに関し、光学式ズーム及び電子ズーム手段のズームを備えた装置の改良に関する。
【０００２】
【従来の技術】
従来、市場販売されているファインダとモニタとを２つ持つデジタルカメラの一つであるデジタルムービにおいては、ビューファインダに光学式ビューファインダを用いるのではなく、ファインダ内に液晶画面を搭載してファインダとモニタ双方が液晶画面で見て撮影，再生を行うようような構成になっている。このようなデジタルカメラにおいては、ズーム機能用のテレ／ワイドスイッチをもっており、このテレ／ワイドスイッチを操作することで、ズーム撮影が行われている。
【０００３】
このようなズーム機能においては、光学系のレンズ等を利用してズームを行う光学式ズーム手段が従来より行われてきたが、近年、光学式ズーム以上の倍率を越えるものについては所望の信号処理により画像信号を拡大して液晶表示板に表示する電子ズーム機能が搭載された機器が販売されている。
【０００４】
【発明が解決しようとする課題】
しかしながら、デジタルムービのような高価な製品についてはモニタ及びファインダに液晶画面を搭載したものが大多数だが、近年販売されている電子スチルカメラにおいては安価で、また、簡単に撮影できるのが要求されるため、安価な製品にするためには、デジタルムービのようなモニタとファインダ双方に液晶画面を搭載したものは用いず、ファインダを光学式だけに限定しているものが多い。
【０００５】
しかしながら、このような構成でズーム機能を光学式ズームと電子ズームの双方を持ち合わせた場合、光学式ファインダでズーム倍率が越えて電子ズーム機能が働き、視野が実際に目で見る視野とは拡大されて異なっているときに、使用者がファインダでズーム撮影するのに、今の電子ズームの倍率が使用者には判らず、間違って撮影する場合が生じる。
【０００６】
【課題を解決するための手段】
本発明は、従来技術のこれらの問題点を解決することを目的とし、被写体から光学式レンズを介して画像を取り入れる光学式ビューファインダと、前記光学式レンズにより取り込まれた前記被写体を画像信号に変換して表示するモニタとで構成されるとともに、前記被写体を拡大表示するズーム機能を具備したデジタルカメラにおいて、前記ズーム機能は、前記光学式レンズによる光学式ズーム手段と、該光学式ズーム手段のズーム倍率を越えるものは所望の信号処理で拡大させる電子ズーム手段とが併用され、前記モニタで画像を表示しないときには、前記電子ズーム手段が作動しないように制御し、前記モニタで画像を表示したときであって、前記電子ズーム手段が作動している場合は、前記モニタ画面に電子ズームモードであることを表示して前記光学式ビューファインダの実視野と撮影できる範囲が異なることを知らせるように制御する制御手段を具備したことを特徴とするデジタルカメラを提供する。
【０００８】
本発明の構成によれば、前記モニタで画像を表示しないときには、前記電子ズーム手段が作動しないように構成し、さらに、ズームの際に、モニタで画像を表示した時であって電子ズーム手段が作動している場合には表示手段で警告するようにしているので、間違って異なった画角を撮影することはない。
【０００９】
【発明の実施の形態】
以下図面を用いて本発明の実施例を説明する。
図１は本発明の実施例の概略図であり、図において１はデジタルカメラ、２は本体部、３は液晶モニタ部であり、液晶モニタ部４を有し、ヒンジ部１０を介して接続されており、不図示であるが、ヒンジ部１０には液晶モニタ部３が回動可能な軸を備えている。５は液晶モニタ収納部であり、液晶モニタ部４が本体部２に対して内側又は外側に向いて収納される。
【００１０】
６は液晶モニタON/OFFスイッチ用ボタン（表示ON/OFFスイッチ用ボタン）であり、液晶モニタ部４がデジタルカメラ１本体に対して内側を向いている状態から液晶モニタ部３が可動すると、このスイッチが働き、いつでも液晶モニタ部３の電源をON/OFFできるようになる。７は光学ファインダであり、光学式レンズ１３を介して被写体像を取り入れて、この光学ファインダ７から使用者が覗き込んで見るようになっている。８はレリーズスイッチ、９はモード表示ＬＣＤ、１１は再生モードスイッチ、１２はビデオ出力端子、２２はズームモードスイッチ、２７はデジタル入力端子である。
【００１１】
図２は本発明の制御ブロック図であり、１４はレンズ１３から取り込まれる被写体映像の露光量を調整するIRISであり、IRISドライバ１８により露出制御等が行われる。
レンズ１３により取り込まれた被写体映像はＣＣＤ１５がV-Drive 回路１８の働きにより電気信号に変換され、ＣＤＳ回路１５でノイズ成分の除去及びゲインの調整を行った後、ＡＤコンバータ１７でデジタル信号に変換して信号処理プロセッサ２０で所定の信号処理が行われる。処理が行われた映像信号は一度、ＤＲＡＭ２３に蓄積され所定のタイミングで液晶モニタ２４に出力されて映像が撮影される。
【００１２】
２５はビデオアンプであり、ビデオ出力端子により他の機器に接続可能になっている。２６はシリアルドライバであり、パソコンとのやり取りをデジタル入出力端子２７を介して行われる。２８はメモリカードであり、映像信号を蓄積して、信号処理プロセッサ２０により液晶モニタ部２４に表示したり、逆にレンズ３からの映像情報を蓄積可能に構成されている。
【００１３】
２１はシステムコントローラであり、液晶モニタON/OFFスイッチボタン６に連動した液晶モニタON/OFFスイッチ２１ａ，液晶モニタ部３が可動したことを検出して液晶モニタON/OFFスイッチ２１ａを作動できる液晶可動検出スイッチ２１ｂ，再生モードスイッチ２１ｃ，第１のレリーズスイッチ２１ｄ，第２のレリーズスイッチ２１ｅが接続され、各スイッチが押されることで各制御部が作動することになる。
【００１４】
なお、記録モードにおいてはレリーズスイッチ２１ｄの第１の操作により、露出制御、オートフォーカス制御を行い撮影準備動作を行う。レリーズスイッチ２１ｅの第２の操作により、記録する画像のキャプチャを行う。記録される画像はガンマ処理、ホワイトバランス処理、シェーディング補正などをおこないＤＲＡＭ２３などの一時格納メモリに蓄積される。蓄積された画像データは信号処理プロセッサ２０によりカメラ信号処理を行い、ＪＰＥＧ圧縮処理を行いＪＰＥＧファイルデータとして着脱可能なメモリカード２８に記録される。
【００１５】
ズームモードスイッチ２２は３ポジション（不図示）からなり、スイッチ２２ａはプラススイッチ、２２ｂはマイナススイッチ、２２ｃはズームモードスイッチのモードスイッチである。このモードスイッチ２２ｃは撮影モードの選択、確定を行うスイッチであり、撮影モードの変更モードにおいては、２２ａのプラススイッチ、２２ｂのマイナススイッチは撮影モードを選択する機能となる。記録モードにおいては、モードスイッチ２２ｃが押されて記録モードになると、プラススイッチ２２ａは高倍率側にズームさせるスイッチとなり、マイナススイッチ２２ｂは広角側にズームさせるスイッチとなる。
【００１６】
このズームモードスイッチ２２により光学ズームにおいては、システムコントローラ２１によりズームモードスイッチのプラススイッチ２２ａ、マイナススイッチ２２ｂの状態を検出し、検出したスイッチの状態に応じてバリエータレンズ１３ａおよびコンペンセータレンズ１３ｂの駆動制御を行い、光学ズーム機能を実現する。また、電子ズームにおいては、システムコントローラ２１は光学ズームが最高倍率状態で、液晶モニタ部２４がファインダ機能として動作している液晶ファインダモードの時、プラススイッチ２２ａの操作を検出すると、電子ズームモードであることを信号処理プロセッサ２０に、何倍の電子ズーム処理を行うように指示をする。
【００１７】
信号処理プロセッサ２０はシステムコントローラ２１の指示により指定された倍率の電子ズーム処理を行う。このとき、電子ズーム状態であることを使用者にしらせるために、信号処理プロセッサ２０はＯＳＤ（On Screen Display ）機能を用いて液晶モニタ部２４上に電子ズームモードである警告表示を行う。
【００１８】
また、光学ズームが最広角状態で、液晶モニタ部２４がファインダー機能として動作している液晶ファインダモードの時、プラススイッチ２２ｂの操作を検出すると、電子パノラマモードであることを信号処理プロセッサ２０に、電子パノラマ処理を行うように指示をする。信号処理プロセッサ２０はシステムコントローラ２１の指示により指定された電子パノラマ処理を行う。このとき、電子パノラマ状態であることを使用者に知らせるために、信号処理プロセッサ２０はＯＳＤ機能を用いて液晶モニタ部２４上に電子パノラマモードである警告表示を行う。
【００１９】
つぎに、このような構成における動作について図１，図２により説明する。
本発明のデジタルカメラは撮像画像をメモリカード２８に記録する記録モードとメモリカード２８に記録された画像データを再生する再生モードがある。
まず第１に記録モードについて説明する。
記録モードは不図示のレンズバリアの開閉によりカメラの本体部２の電源が入り記録モードに設定される。記録モードでは液晶モニタ部３を液晶収納部５にしまっている状態で光学式ファインダ７だけを見て記録できるモードと液晶モニタ部３をビューファインダとして利用して記録するモードがある。光学式ファインダ７だけを用いるときは消費電力を考えると液晶モニタ部３はオフ状態であることが望ましい。
【００２０】
液晶モニタ部３の液晶モニタ部４が内側を向いて本体２の収納部５に格納されているときは、光学ファインダ７を用いる以外にないので液晶モニタ部３の電源は自動的にオフされる。この状態では液晶モニタON/OFFスイッチ２１ａが入ってもシステムコントローラ１１が電源ON/OFFが作動しないようにしている。
【００２１】
記録モード状態では、ズームモードスイッチ２２によりズーム機能が働くようになり、光学ズーム機能と電子ズーム機能を持つ。光学ズームはズームモードスイッチ２２のプラススイッチ２２ａの操作をシステムコントローラ２１が検出すると、高倍率ズームとなるようにバリエータ駆動信号をVari-Drive３１に与え、バリエータ駆動モータ３２を介してバリエータレンス１３ａを駆動する。また、コンペンセータ駆動信号をComp-Drive２９に与え、コンペンセータ駆動モータ３０を介してコンペンセータレンス１３ｂを駆動する。
【００２２】
一方、ズームモードスイッチ２２のマイナススイッチ２２ｂの操作をシステムコントローラが検出すると、広角側になるようにバリエータ駆動信号をVari-Drive３１に与え、バリエータ駆動モータ３２を介してバリエータレンス１３ａを駆動する。また、コンペンセータ駆動信号をComp-Drive２９に与え、コンペンセータ駆動モータ３０を介してコンペンセータレンス１３ｂを駆動する。
【００２３】
電子ズームおよび、電子パノラマは液晶モニタ部３が可動状態で液晶モニタ部２４をファインダ機能として使用している液晶ファインダモードの時にのみ動作する。電子ズームは光学ズームが最高倍率状態から、ズームモードスイッチ２２のプラススイッチ２２ａを操作することにより電子ズームモードとなる。システムコントローラ２１は光学ズームが最高倍率状態でプラススイッチ２２ａの操作を検出すると、信号処理プロセッサ２０に電子ズーム処理の要求を行う。電子ズーム処理要求には電子ズームの処理倍率を付加する。信号処理プロセッサ２０は指示された倍率になるように電子ズーム処理を行い、液晶モニタ２４に表示を行う。このとき、電子ズームモードであることを使用者に知らせるために信号処理プロセッサ２０はＯＳＤ機能により電子ズームモードであることを液晶モニタ２４に表示する。システムコントローラ２１はさらにプラススイッチ２２ａの操作を検出したときには、信号処理プロセッサ２０に電子ズームの処理倍率を変えて指示をおこなう。電子ズームは約４倍まで動作するように設定されている。このとき電子ズームが最高倍率状態であるこを信号処理プロセッサ２０はＯＳＤ機能を用いて液晶モニタ２４に表示する。電子ズームが４倍の状態で、プラススイッチ２２の操作を検出してもシステムコントローラはその操作を無効とする。
【００２４】
電子パノラマは光学ズームが最広角状態から、ズームモードスイッチ２２のマイナススイッチ２２ｂを操作することにより電子パノラマモードとなる。システムコントローラ２１は光学ズームが最広角状態でマイナススイッチ２２ｂの操作を検出すると、信号処理プロセッサ２０に電子パノラマ処理の要求を行う。信号処理プロセッサ２０は電子パノラマ処理を行い、液晶モニタ２４に表示を行う。
【００２５】
このとき、電子パノラマモードであることを使用者に知らせるために信号処理プロセッサ２０はＯＳＤ機能により電子パノラマムモードであることを液晶モニタ２４に表示する。電子パノラマモードは上下をマスクされた状態で液晶表示される。
【００２６】
このとき、光学式ファインダのみを使用する光学式ファインダモードの場合は、ズーム動作は光学ズームのみとなり、高倍率端でズーム終了となり、電子ズーム機能が信号処理プロセッサ２１により禁止され、広角端では動作終了となる。
【００２７】
ビューファインダーモードでは、液晶モニタ部４に撮像画像が表示される。従って、ズームモードスイッチ２２の操作によりズーム動作を行うとズーム映像が液晶モニタ部２４に表示される。光学ズームの高倍率端では光学ズームは終了となり、電子ズームが作動するようになる。
【００２８】
電子ズームが作動している状態では液晶モニタ部４に電子ズームが作動する状態である表示を行う。このとき、光学式ファインダ７の中に電子ズームが作動する状態の警告表示を使用者が覗けば見えるようにしても良い。
【００２９】
この構成により、光学式ファインダ７と液晶モニタ部４のデジタルカメラ１では、撮影者はズームに際して光学式ファインダ７における撮影でも、液晶モニタ部４における撮影においても、画角を正しく認識して撮影することが可能になる。
【００３０】
なお、本発明の構成で電子パノラマ撮影も可能である。電子パノラマ状態の時には、液晶モニタ部４の上下方向をブラックでマスクするとともに、電子パノラマ状態の表示を行うように構成する。
【００３１】
【発明の効果】
以上説明したように本発明の構成によれば、液晶モニタで画像を表示しないときには、電子ズーム手段が作動しないように禁止するよう構成し、さらに、ズームの際に、液晶モニタで画像を表示した時であって電子ズーム手段が作動している場合には表示手段で警告するようにしているので、間違って異なった画角を撮影することはなく、画角を正しく認識して撮影することが可能になり撮影のシャッタチャンスを逃すことはない。
【図面の簡単な説明】
【図１】本発明の第１の実施例を示す略図
【図２】本発明の制御ブロック図
【符号の説明】
１  ：デジタルカメラ
２  ：  本体部
３  ：液晶モニタ部
４  ：液晶モニタ部
５  ：液晶収納部
６  ：液晶モニタON/OFFスイッチボタン
７  ：光学ファインダ
８  ：レリーズスイッチ
９  ：モード表示ＬＣＤ
１０  ：ヒンジ機構部
１１  ：再生モードスイッチ
１２  ：ビデオ出力端子
２１ａ：液晶モニタON/OFFスイッチ
２１ｂ：液晶可動検出スイッチ
２２  ：ズームモードスイッチ
２２ａ：プラススイッチ（高倍率側）
２２ｂ：マイナススイッチ（広角側）
２２ｃ：モードスイッチ
【図１】
0003774308.tif 000002
【図２】
0003774308.tif 000003